(57)【要約】【課題】左右両方のスピーカに共通で使用でき、且つ、キャビネットの左右側壁との接触を容易に回避することのできるコネクタ基板を提供する。【解決手段】スピーカの入力端子２５ａ、２５ｂと、プリント基板の出力端子に接続されるリードワイヤ１６と、が半田付けされるコネクタ基板１において、コネクタ基板１を平面略長方形とし、コネクタ基板１の長手方向の両端部に、所定の大きさで割取ってコネクタ基板１の長手方向の端位置を所定距離だけ反対端側へ退かせるための割取り部６ａ、６ｂを形成した。【選択図】図６
2008244541.tif 000002
【特許請求の範囲】
【請求項１】
キャビネット内部の左右側端部に配設されるスピーカと、
スピーカに設けられた板棒状の入力端子と、
キャビネット内部に配設されるプリント基板と、
一端がプリント基板の出力端子に接続されるリードワイヤと、
長手方向の各端から所定距離の位置に貫通して設けられた前記入力端子を挿入して半田付けするための長孔を有し、前記リードワイヤの他端が半田付けされた平面略長方形のコネクタ基板と、
を有するスピーカの入力端子の接続構造において、
コネクタ基板の対向する長辺縁の各端から所定距離の位置に、直交方向の切込みを対向して設けることにより、コネクタ基板の長手方向の各端部に、前記長孔を横切るようにして所定の大きさで割取ってコネクタ基板の長手方向の端位置を所定距離だけ反対端側へ退かせるための割取り部を形成し、
スピーカの配設位置で、コネクタ基板の長手方向の一端部とキャビネット側壁との距離が取れない場合に、前記割取り部の一方を割取った後、前記入力端子を前記長孔へ挿入して半田付けすることにより、コネクタ基板がキャビネット側壁に接触するのを回避することを特徴とするスピーカの入力端子の接続構造。
【請求項２】
スピーカの入力端子と、プリント基板の出力端子に接続されるリードワイヤと、が半田付けされるコネクタ基板において、
コネクタ基板を平面略長方形とし、
コネクタ基板の長手方向の両端部に、所定の大きさで割取ってコネクタ基板の長手方向の端位置を所定距離だけ反対端側へ退かせるための割取り部を形成したことを特徴とするコネクタ基板。
【請求項３】
前記割取り部は、コネクタ基板の対向する長辺縁の各端から所定距離の位置に、直交方向の切込みを対向して設けることにより、形成されたことを特徴とする請求項２に記載のコネクタ基板。
【請求項４】
スピーカの前記入力端子を板棒状とし、
前記コネクタ基板には、長手方向の各端から所定距離の位置に、前記入力端子を挿入して半田付けするための長孔が貫通して設けられ、
前記長孔を横切って前記割取り部を割取るように前記切込みを設けたことを特徴とする請求項２又は３に記載のコネクタ基板。
【発明の詳細な説明】
【技術分野】
【０００１】
本発明は、スピーカの入力端子を、出力端子を備えたプリント基板に、リードワイヤを介して接続するためのコネクタ基板及びこのコネクタ基板を用いたスピーカ接続構造に関する。
【背景技術】
【０００２】
従来、テレビジョン受像器などでは、出力端子を備えたプリント基板に、キャビネット内に収納したスピーカの入力端子を接続する構造がいくつか提案されている。その１つとして、図１０２に示すように、スピーカ１００の入力端子１０１ａ、１０１ｂを板棒形状とし、この入力端子１０１ａ、１０１ｂを、あらかじめリードワイヤ１０２の一端が半田付けされたコネクタ基板１０３に貫設された、端子接続用の長孔１０４ａ、１０４ｂに挿入した後、半田付けすることが提案されている。
【０００３】
近年、薄型の液晶テレビなどでは、外観のデザイン性や製品重量の軽量化に重点が置かれ、キャビネットも次第にコンパクトな形状が採用されている。この結果、取り分けキャビネットの左右側端部において内部空間が狭小化し、スピーカの設置部位にもキャビネットの側壁が迫り、ぎりぎりスピーカを設置できる程度の空間しか確保できない場合もある。
【０００４】
したがって、従来のコネクタ基板１０３の形状では、コネクタ基板１０３の側端部にキャビネットの側壁が当たり、不具合となってしまう問題があった。キャビネットの側壁を逃げるために、コネクタ基板の一側端をカットした形状で対応しようとすると、左右のスピーカの各々に対して異なる形状（左右対称）のコネクタ基板が２種類必要となって部品点数が多くなり、コスト高となる。
【０００５】
なお、特許文献１〜３に開示された技術は、スピーカとプリント基板の接続を中継するリードワイヤ及びコネクタを廃止するための技術に関するものであり、コネクタ基板を使用してスピーカとリードワイヤとを接続するものではない。
【特許文献１】特開平１０−１７８６９８号公報
【特許文献２】実用新案登録第３０１１６２１号公報
【特許文献３】実開昭５９−１０４６３６号公報
【発明の開示】
【発明が解決しようとする課題】
【０００６】
本発明は、上記の従来技術の課題に鑑みてなされたものであり、左右両方のスピーカに共通で使用でき、且つ、キャビネットの左右側壁との接触を容易に回避することのできるコネクタ基板及びそれを用いたスピーカの入力端子の接続構造を提供することを目的とする。
【課題を解決するための手段】
【０００７】
上記目的を達成するために請求項１のスピーカの入力端子の接続構造は、キャビネット内部の左右側端部に配設されるスピーカと、スピーカに設けられた板棒状の入力端子と、キャビネット内部に配設されるプリント基板と、一端がプリント基板の出力端子に接続されるリードワイヤと、長手方向の各端から所定距離の位置に貫通して設けられた前記入力端子を挿入して半田付けするための長孔を有し、前記リードワイヤの他端が半田付けされた平面略長方形のコネクタ基板と、を有するスピーカの入力端子の接続構造において、コネクタ基板の対向する長辺縁の各端から所定距離の位置に、直交方向の切込みを対向して設けることにより、コネクタ基板の長手方向の各端部に、前記長孔を横切るようにして所定の大きさで割取ってコネクタ基板の長手方向の端位置を所定距離だけ反対端側へ退かせるための割取り部を形成し、スピーカの配設位置で、コネクタ基板の長手方向の一端部とキャビネット側壁との距離が取れない場合に、前記割取り部の一方を割取った後、前記入力端子を前記長孔へ挿入して半田付けすることにより、コネクタ基板がキャビネット側壁に接触するのを回避することを特徴としている。
【０００８】
また、請求項２のコネクタ基板は、スピーカの入力端子と、プリント基板の出力端子に接続されるリードワイヤと、が半田付けされるコネクタ基板において、コネクタ基板を平面略長方形とし、コネクタ基板の長手方向の両端部に、所定の大きさで割取ってコネクタ基板の長手方向の端位置を所定距離だけ反対端側へ退かせるための割取り部を形成したことを特徴としている。
【０００９】
また、請求項３のコネクタ基板は、請求項２に記載のコネクタ基板において、前記割取り部は、コネクタ基板の対向する長辺縁の各端から所定距離の位置に、直交方向の切込みを対向して設けることにより、形成されたことを特徴としている。
【００１０】
また、請求項４のコネクタ基板は、請求項２又は３に記載のコネクタ基板において、スピーカの前記入力端子を板棒状とし、前記コネクタ基板には、長手方向の各端から所定距離の位置に、前記入力端子を挿入して半田付けするための長孔が貫通して設けられ、前記長孔を横切って前記割取り部を割取るように前記切込みを設けたことを特徴としている。
【発明の効果】
【００１１】
請求項１のスピーカの入力端子の接続構造によると、コネクタ基板の一方の割取り部を割取ってからスピーカの入力端子へコネクタ基板を取付けることにより、コネクタ基板の端位置が所定距離だけ反対端側へ退くため、コネクタ基板の一端部とキャビネット側壁との接触を容易に回避することができる。
【００１２】
また、コネクタ基板の長手方向の両端部に略長方形に割取る割取り部を設けたことにより、コネクタ基板は、左右のスピーカに対して同一のものを共通で使用することができるため、左右対称な形状を有する２種類のコネクタ基板を用意する場合に比較してコストを削減することができる。また、割取り部を割取る必要のない場合も含めると、数多くの製品機種に対応できるため、汎用性が非常に高くなる。
【００１３】
請求項２のコネクタ基板によると、コネクタ基板の一方の割取り部を割取ってからスピーカの入力端子へコネクタ基板を取付けることにより、コネクタ基板の端位置が所定距離だけ反対端側へ退くため、コネクタ基板の一端部とキャビネット側壁との接触を容易に回避することができる。
【００１４】
また、コネクタ基板の長手方向の両端部に割取り部を設けたことにより、コネクタ基板は、左右のスピーカに対して同一のものを共通で使用することができるため、左右対称な形状を有する２種類のコネクタ基板を用意する場合に比較してコストを削減することができる。また、割取り部を割取る必要のない場合も含めると、数多くの製品機種に対応できるため、汎用性が非常に高くなる。
【００１５】
請求項３のコネクタ基板によると、略長方形に割取る割取り部を容易に形成することが可能となる。
【００１６】
請求項４のコネクタ基板によると、割取り部の割取りを容易に行える。
【発明を実施するための最良の形態】
【００１７】
本発明を実施するための最良の形態について図面を参照して説明する。
【００１８】
図１は、本発明の実施の形態に係るコネクタ基板の上面図（ａ）及び下面図（ｂ）である。図２は、コネクタ基板へのリードワイヤの固定手法を説明する分解斜視図である。
【００１９】
図１及び図２に示されたコネクタ基板１は樹脂製の基板部材であり、スピーカの入力端子が半田付けされる前に予めリードワイヤ２（図２参照）が半田付けされるようになっている。図１（ａ）に示すように、コネクタ基板１は平面略長方形であり、長手方向（図１の紙面左右方向）の略中央部に一対の小孔２ａ、３ａが、小孔２ａ、３ａに隣接して一対の丸孔３ａ、３ｂが、長手方向の両端から所定距離Ｄの位置に長孔４ａ、４ｂが、それぞれ線対称な位置に設けられている。長孔４ａ、４ｂの長手方向の中央部は略円形に刳り貫かれ、長孔４ａ、４ｂとコネクタ基板１の対向する長辺縁（図１における上辺縁及び下辺縁）との距離を部分的に縮められている。
【００２０】
また、コネクタ基板１の対向する長辺縁（図１における上辺縁及び下辺縁）の両端から所定距離Ｄの位置には、直交方向に延びて一対の切込み５ａ、５ｂが、線対称な位置に対向して形成されている。上下の切込み５ａ、５ａ及び５ｂ、５ｂは、それぞれ延長上でちょうど略円形に刳り貫かれた長孔４ａ及び４ｂの長手方向の中央部と交わるようになっている。これにより、コネクタ基板１の長手方向の両端部に、所定の大きさで割取ってコネクタ基板１の長手方向の端位置を所定距離Ｄだけ反対端側に退かせるための割取り部６ａ、６ｂが形成される。
【００２１】
コネクタ基板１の下面には、図１（ｂ）に示すように、銅箔層上に形成されたフォトレジスト膜をエッチングして導体パターン９ａ、９ｂを形成した回路部７ａ、７ｂ、及び、銅箔層上にフォトレジスト膜がベタで形成されたダミー回路部８ａ、８ｂ、が線対称な位置に形成されている。小孔２ａ、２ｂの周囲及び長孔４ａ、４ｂの周囲には、銅箔から成る、半田付けのためのランド１０ａ、１０ｂ及び１１ａ、１１ｂがそれぞれ形成されている。ランド１０ａ、１１ａ間及びランド１０ｂ、１１ｂ間は、前記の導体パターン９ａ及び９ｂによりそれぞれ電気的に導通されている。なお、ダミー回路部８ａ、８ｂは、割取り部６ａ、６ｂに形成されており、導体パターンのないダミーの回路部となっている。
【００２２】
このようなコネクタ基板１は、プリント基板を製造するための基板材料を用いてプリント基板と共取りするようにすれば、製造コストを削減できる。
【００２３】
以上のように構成されたコネクタ基板１には、図２に示すような角柱状の樹脂部品から成るホルダー１２を用いて、一端がプリント基板（不図示）の出力端子に接続されるリードワイヤ１６の他端と接続される。ホルダー１２の上面から下方に延びて一対の円柱状の座繰り１３ａ、１３ｂが設けられ、座繰り１３ａ、１３ｂの下端面の中心からホルダー１２の下面に向かって透孔１４ａ、１４ｂがそれぞれ貫通している。ホルダー１２の左右側端面には、脚状のフック部１５ａ、１５ｂが一体に形成されている。
【００２４】
リードワイヤ１６へのホルダー１２の取付けは、図２に示すように、リードワイヤ１６の被覆部１７ａ、１７ｂをホルダー１２の座繰り１３ａ、１３ｂに圧入して保持するとともに、被覆部１７ａ、１７ｂの先端を切削して露出させた銅線部１８ａ、１８ｂをホルダー１２の透孔１４ａ、１４ｂへ通すことにより行う。そして、ホルダー１２のコネクタ基板１への固定は、ホルダー１２のフック部１４ａ、１４ｂをコネクタ基板１の丸孔３ａ、３ｂに係合させることにより行う。このとき、リードワイヤ１６の銅線部１８ａ、１８ｂをコネクタ基板１の小孔２ａ、２ｂに挿通する。最後に、リードワイヤ１６の銅線部１８ａ、１８ｂをコネクタ基板１のランド１０ａ、１０ｂ（図１（ｂ）参照）に半田付けすれば、リードワイヤ１６とコネクタ基板１との接続が完了する。
【００２５】
なお、このようなホルダー１２を用いたリードワイヤ１６とコネクタ基板１との接続手法を、リードワイヤ１６とプリント基板（不図示）の出力端子との接続にも利用すれば、リードワイヤとして、コネクタ付きでない通常の安価なものを使用することが可能となり、コスト削減が図られる。
【００２６】
次に、スピーカについて説明する。図３に示すように、スピーカ１９は、前面にフランジ２０を有し、フランジ２０の四隅に設けられたビス孔２１を用いて、テレビジョン受像器のフロントキャビネット２７（図４参照）に突設されたボス２８（図４参照）にビス止めで固定される。図４に示すように、スピーカ１９は、フロントキャビネット２７の内部の左右側端部に１体ずつ設置される。
【００２７】
図３に示すように、スピーカ１９の本体部２２の下部には、基板部材２３がカシメで取付けられている。基板部材２３には、板金から成る一対の端子部材２４ａ、２４ｂが実装されている。端子部材２４ａ、２４ｂの下端中央部には、板棒状の入力端子２５ａ、２５ｂが一体に形成されている。入力端子２５ａ、２５ｂは根元から略９０°後方に屈曲されている。また、入力端子２５ａ、２５ｂの両側部には、ストッパー２６ａ、２６ｂが一体に形成されている。
【００２８】
次に、スピーカ１９の入力端子２５ａ、２５ｂへのコネクタ基板１の取付け作業について図３〜図７を参照して説明する。
【００２９】
まず、図４に示すように、スピーカ１９の配設位置で、コネクタ基板１の左（右）端部とリアキャビネット２９の左（右）側壁との距離が充分に取れる場合について説明する。この場合、図３に示すように、スピーカ１９の入力端子２５ａ、２５ｂをそれぞれ、コネクタ基板１の長孔４ａ、４ｂに、コネクタ基板１がストッパー２６ａ、２６ｂで係止されるまで挿入し、ランド１１ａ、１１ｂに半田付けすればよい。つまり、コネクタ基板１の左（右）端部とリアキャビネット２９の左（右）側壁との間に充分な空間的余裕があるため、スピーカ１９の入力端子２５ａ、２５ｂへのコネクタ基板１の取付けに際して、コネクタ基板１の形状に何も手を加えなくも、コネクタ基板１が邪魔になってリアキャビネット２９がフロントキャビネット２７に取付けられなくなるという問題は起こらない。
【００３０】
しかし、リアキャビネット２９のデザイン上の変更によって、図５に示すように、スピーカ１９の配設位置で、コネクタ基板１の左（右）端部とリアキャビネット２９の左（右）側壁との距離が取れなくなってしまった場合は、上記のようにコネクタ基板１の形状に何も手を加えずに、スピーカ１９の入力端子２５ａ、２５ｂへのコネクタ基板１の取付けを行うと、コネクタ基板１の左（右）端部がリアキャビネット２９の左（右）側壁と接触し、リアキャビネット２９をフロントキャビネット２７に取付けることができない。
【００３１】
そこで、図６に示すように、左側のスピーカ１９に対しては、コネクタ基板１の左側の割取り部６ｂを割取って（右側のスピーカ１９に対しては、コネクタ基板１の右側の割取り部６ａを割取って）から上記と同様にスピーカ１９の入力端子２５ａ、２５ｂへコネクタ基板１を取付けるようにする。こうすれば、図７に示すように、コネクタ基板１の左（右）端位置が所定距離Ｄ（図１（ａ）参照）だけ反対端側へ退くため、コネクタ基板１の左（右）端部とリアキャビネット２９の左（右）側壁との接触を回避することができ、リアキャビネット２９をフロントキャビネット２７に取付けることができるようになる。
【００３２】
コネクタ基板１は、左右のスピーカに対して同一のものを共通で使用することができるため、左右対称な形状を有する２種類のコネクタ基板を用意する場合に比較してコストを削減することができる。また、割取り部を割取る必要のない場合も含めると、数多くの製品機種に対応できるため、汎用性が非常に高い。
【００３３】
本発明は上記の実施形態には限定されない。例えば、上記実施形態では、割取り部６ａ、６ｂを割取るための切込み５ａ、５ｂの長さを短くするために、長孔４ａ、４ｂを横切って割取り部を割取るようにしているが、長孔を横切らない位置で長めの切込みを設けるような構成でも構わない。この場合、切込みを設ける位置や方向を変更することにより、略三角形や略凹五角形に割取るようにすることもできる。
【産業上の利用可能性】
【００３４】
本発明は、スピーカを搭載した機器、例えば、テレビジョン受像器、ラジカセ、ノートパソコン等に利用することができる。
【図面の簡単な説明】
【００３５】
【図１】は、本発明の実施の形態に係るコネクタ基板の上面図（ａ）及び下面図（ｂ）である。
【図２】は、本発明の実施の形態に係るコネクタ基板へのリードワイヤの固定手法を説明する分解斜視図である。
【図３】は、本発明の実施の形態に係るコネクタ基板の割取り部を割取ることなく、コネクタ基板をスピーカの入力端子へ取付ける取付け手法を説明する分解斜視図である。
【図４】は、スピーカの配設位置で、図３のようにして取付けられたコネクタ基板の左（右）端部とリアキャビネットの左（右）側壁との距離が充分に取れる場合の、キャビネット内でのコネクタ基板の配設状態を示す概略水平断面図である。
【図５】は、スピーカの配設位置で、図３のようにして取付けられたコネクタ基板の左（右）端部とリアキャビネットの左（右）側壁との距離が充分に取れない場合の、リアキャビネットがフロントキャビネットに取付けられない状態を示す概略水平断面図である。
【図６】は、本発明の実施の形態に係るコネクタ基板の割取り部を割取った後、コネクタ基板をスピーカの入力端子への取付ける取付け手法の一例を説明する分解斜視図である。
【図７】は、スピーカの配設位置で、図６のようにして取付けられたコネクタ基板の左（右）端部とリアキャビネットの左（右）側壁との距離が充分に取れない場合の、キャビネット内でのコネクタ基板の配設状態を示す概略水平断面図である。
【図８】は、従来のコネクタ基板をスピーカの入力端子へ取付ける取付け手法の一例を説明する分解斜視図である。
【符号の説明】
【００３６】
１    コネクタ基板
４ａ、４ｂ  長孔
５ａ、５ｂ  切込み
６ａ、６ｂ  割取り部
１９  スピーカ
２５ａ、２５ｂ  入力端子
【図１】
2008244541.tif 000003
【図２】
2008244541.tif 000004
【図３】
2008244541.tif 000005
【図４】
2008244541.tif 000006
【図５】
2008244541.tif 000007
【図６】
2008244541.tif 000008
【図７】
2008244541.tif 000009
【図８】
2008244541.tif 000010